(57)【要約】【課題】利用者の利便性を高くしたチケット発券システムを提供することを目的とする。【解決手段】チケット発券端末１１は、施設の利用に関する施設利用情報と、施設に関連する施設関連情報を提供するウェブサイトへアクセスするためのウェブサイトアクセス情報とを印刷機でプリントして施設を利用するチケットを発券する。ウェブサーバ５１は、チケット発券端末が発券したチケットにプリントされたウェブサイトアクセス情報に基づいてネットワークを介してウェブサイトへアクセスしてくるユーザ端末に対して、ネットワークを介して施設関連情報を提供する。特に、チケット発券端末１１は、チケット発券する際に得られる発券時情報に依存したウェブサイトアクセス情報を生成してチケットにプリントする。そして、ウェブサーバ５１は、発券時情報に依存した施設関連情報を提供する。【選択図】図１
2009015595.tif 000002
【特許請求の範囲】
【請求項１】
施設の利用に関する施設利用情報と、施設に関連する施設関連情報を提供するウェブサイトへアクセスするためのウェブサイトアクセス情報とを印刷機でプリントして施設を利用するチケットを発券するチケット発券端末と、
チケット発券端末が発券したチケットにプリントされた施設利用情報をリーダで読み込んでチケットの有効性をチェックして施設利用許可を与えるとともに、施設利用許可に基づく施設利用情報を処理装置により管理する管理サーバと、
チケット発券端末が発券したチケットにプリントされたウェブサイトアクセス情報に基づいてネットワークを介してウェブサイトへアクセスしてくるユーザ端末に対して、ネットワークを介して施設関連情報を提供するウェブサーバと
を備え、
上記チケット発券端末は、チケット発券する際に得られる発券時情報に依存したウェブサイトアクセス情報を生成してプリントし、
上記ウェブサーバは、発券時情報に依存した施設関連情報を提供することを特徴とするチケッティングシステム。
【請求項２】
上記チケット発券端末は、施設利用情報の少なくとも一部をパラメータとして含むウェブサイトアクセス情報を生成してチケットにプリントし、
上記ウェブサーバは、ウェブサイトアクセス情報に含まれた施設利用情報に依存した施設関連情報を提供することを特徴とする請求項１記載のチケッティングシステム。
【請求項３】
上記チケット発券端末は、施設識別情報を施設利用情報の一部としてチケットにプリントするとともに、施設識別情報をパラメータとするウェブサイトアクセス情報をチケットにプリントし、
上記ウェブサーバは、施設識別情報に基づき判明する施設の場所の周辺情報を施設関連情報として提供することを特徴とする請求項１又は２のいずれかに記載のチケッティングシステム。
【請求項４】
上記チケット発券端末は、施設利用日時を施設利用情報の一部としてチケットにプリントするとともに、施設利用日時をパラメータとするウェブサイトアクセス情報をチケットにプリントし、
上記ウェブサーバは、施設利用日時と所定の関係にある日時の時事情報を施設関連情報として提供することを特徴とする請求項１から３までのいずれかに記載のチケッティングシステム。
【請求項５】
上記チケット発券端末は、施設利用者属性を施設利用情報の一部としてチケットにプリントするとともに、施設利用者属性をパラメータとするウェブサイトアクセス情報をチケットにプリントし、
上記ウェブサーバは、施設利用者属性にマッチする商品紹介情報を施設関連情報として提供することを特徴とする請求項１から４までのいずれかに記載のチケッティングシステム。
【請求項６】
上記チケット発券端末は、施設利用情報としてチケットにプリントしない発券時情報に依存したウェブサイトアクセス情報をチケットにプリントすることを特徴とする請求項１から５までのいずれかに記載のチケッティングシステム。
【請求項７】
上記チケット発券端末は、ウェブサイトアクセス情報を二次元コードでプリントすることを特徴とする請求項１から６までのいずれかに記載のチケッティングシステム。
【請求項８】
上記チケット発券端末は、上記発券時情報としてチケット発券場所を用い、
上記ウェブサーバは、上記施設関連情報として施設の周辺情報を提供することを特徴とする請求項１から７までのいずれかに記載のチケッティングシステム。
【請求項９】
上記チケット発券端末は、上記発券時情報としてチケット利用日時を用い、
上記ウェブサーバは、上記施設関連情報として利用日時の時事情報を提供することを特徴とする請求項１から８までのいずれかに記載のチケッティングシステム。
【請求項１０】
上記チケット発券端末は、上記発券時情報としてチケット利用者属性を用い、
上記ウェブサーバは、上記施設関連情報として利用者への商品情報を提供することを特徴とする請求項１から９までのいずれかに記載のチケッティングシステム。
【請求項１１】
施設の利用に関する施設利用情報と、施設に関連する施設関連情報を提供するウェブサイトへアクセスするためのウェブサイトアクセス情報とを印刷機でプリントして施設を利用するチケットを発券するチケット発券処理と、
チケット発券処理で発券したチケットにプリントされた施設利用情報をリーダで読み込んでチケットの有効性をチェックして施設利用許可を与えるとともに、施設利用許可に基づく施設利用情報を処理装置により管理する管理処理と、
チケット発券処理で発券したチケットにプリントされたウェブサイトアクセス情報に基づいてネットワークを介してウェブサイトへアクセスしてくるユーザ端末に対して、ネットワークを介して施設関連情報を提供する情報提供処理と
をコンピュータに実行させ、
上記チケット発券処理では、チケット発券する際に得られる発券時情報に依存したウェブサイトアクセス情報を生成してプリントし、
上記情報提供処理では、発券時情報に依存した施設関連情報を提供することを特徴とするチケッティングプログラム。
【請求項１２】
上記チケット発券処理では、施設利用情報の少なくとも一部をパラメータとして含むウェブサイトアクセス情報を生成してチケットにプリントし、
上記情報提供処理では、ウェブサイトアクセス情報に含まれた施設利用情報に依存した施設関連情報を提供することを特徴とする請求項１１記載のチケッティングプログラム。
【請求項１３】
上記チケット発券処理では、施設識別情報を施設利用情報の一部としてチケットにプリントするとともに、施設識別情報をパラメータとするウェブサイトアクセス情報をチケットにプリントし、
上記情報提供処理では、施設識別情報に基づき判明する施設の場所の周辺情報を施設関連情報として提供することを特徴とする請求項１１又は１２のいずれかに記載のチケッティングプログラム。
【請求項１４】
上記チケット発券処理では、施設利用日時を施設利用情報の一部としてチケットにプリントするとともに、施設利用日時をパラメータとするウェブサイトアクセス情報をチケットにプリントし、
上記情報提供処理では、施設利用日時と所定の関係にある日時の時事情報を施設関連情報として提供することを特徴とする請求項１１から１３までのいずれかに記載のチケッティングプログラム。
【請求項１５】
上記チケット発券処理では、施設利用者属性を施設利用情報の一部としてチケットにプリントするとともに、施設利用者属性をパラメータとするウェブサイトアクセス情報をチケットにプリントし、  上記情報提供処理では、施設利用者属性にマッチする商品紹介情報を施設関連情報として提供することを特徴とする請求項１１から１４までのいずれかに記載のチケッティングプログラム。
【請求項１６】
上記チケット発券処理では、施設利用情報としてチケットにプリントしない発券時情報に依存したウェブサイトアクセス情報をチケットにプリントすることを特徴とする請求項１１から１５までのいずれかに記載のチケッティングプログラム。
【請求項１７】
上記チケット発券処理では、ウェブサイトアクセス情報を二次元コードでプリントすることを特徴とする請求項１１から１６までのいずれかに記載のチケッティングプログラム。
【請求項１８】
上記チケット発券処理では、上記発券時情報としてチケット発券場所を用い、
上記情報提供処理では、上記施設関連情報として施設の周辺情報を提供することを特徴とする請求項１１から１７までのいずれかに記載のチケッティングプログラム。
【請求項１９】
上記チケット発券処理では、上記発券時情報としてチケット利用日時を用い、
上記情報提供処理では、上記施設関連情報として利用日時の時事情報を提供することを特徴とする請求項１１から１８までのいずれかに記載のチケッティングプログラム。
【請求項２０】
上記チケット発券処理では、上記発券時情報としてチケット利用者属性を用い、
上記情報提供処理では、上記施設関連情報として利用者への商品情報を提供することを特徴とする請求項１１から１９までのいずれかに記載のチケッティングプログラム。
【請求項２１】
チケット発券端末が、施設の利用に関する施設利用情報と、施設に関連する施設関連情報を提供するウェブサイトへアクセスするためのウェブサイトアクセス情報とを印刷機でプリントして施設を利用するチケットを発券するチケット発券ステップと、
管理サーバが、チケット発券ステップで発券したチケットにプリントされた施設利用情報をリーダで読み込んでチケットの有効性をチェックして施設利用許可を与えるとともに、施設利用許可に基づく施設利用情報を処理装置により管理する管理ステップと、
ウェブサーバが、チケット発券ステップで発券したチケットにプリントされたウェブサイトアクセス情報に基づいてネットワークを介してウェブサイトへアクセスしてくるユーザ端末に対して、ネットワークを介して施設関連情報を提供する情報提供ステップと
を備え、
上記チケット発券ステップでは、チケット発券する際に得られる発券時情報に依存したウェブサイトアクセス情報を生成してプリントし、
上記情報提供ステップでは、発券時情報に依存した施設関連情報を提供することを特徴とするチケッティング方法。
【発明の詳細な説明】
【技術分野】
【０００１】
本発明は、例えば、博物館、美術館や交通機関等の施設を利用するためのチケットの発券とその周辺の技術とに関する。
【背景技術】
【０００２】
紙等の媒体に施設の名称、利用日時、チケットの種別等の施設利用情報を印字したチケットがある。また、携帯電話等の表示装置に施設利用情報を表示させるチケットがある。改札（入場ゲート）では、これらのチケットの表示内容を人が確認してチケットの有効性をチェックする。
また、磁気カード等に、施設利用情報を記憶させたチケットがある。改札では、このチケットの内容をコンピュータが読み取り、内容を確認してチケットの有効性をチェックする。
このように、チケットは、その有効性をチェックして施設の利用許可を与える否かを判断することに利用される。しかし、施設の利用者の利便性を高めるため、以下のような利用のされ方もある。
【０００３】
チケットが使用される施設に関連したウェブサイトが開設されていることがある。ウェブサイトへアクセスすることにより、施設に関連した情報を得ることができ、施設の利用者の利便性を高めている。
チケットには、施設に関連したウェブサイトのＵＲＬ（Ｕｎｉｆｏｒｍ  Ｒｅｓｏｕｒｃｅ  Ｌｏｃａｔｏｒ）がプリントされていることがある。チケットの所有者等は、チケットにプリントされたＵＲＬを入力することで、容易に施設に関連したウェブサイトへアクセスできる。
また、関連した技術として、ウェブサイトへのアクセス情報をＱＲ（Ｑｕｉｃｋ  Ｒｅｓｐｏｎｓｅ）コード（登録商標）に埋め込んで印刷する技術がある。ＱＲコード（登録商標）を携帯電話等で読み込むことでそのウェブサイトへ容易にアクセスできる。
【０００４】
施設が混雑していると利用者の利便性が落ちる。そこで、利用者の利便性を落とすことのないよう、施設への入場者数が所定の人数を超えた場合、施設への入場を制限することがある。これは、チケットの発券枚数が所定の数を越えた時点で発券を停止する等して実現される。
【特許文献１】特開２００７−４１６７２号公報
【発明の開示】
【発明が解決しようとする課題】
【０００５】
ウェブサイトのＵＲＬをチケットに印刷する方法では、同じ施設のチケットであればどれでも同一のＵＲＬが印刷されている。つまり、どの利用者も同一の情報が得られるに過ぎない。すなわち、一部の人には有効な情報であっても、他の人には不要な情報を提供している場合もある。
また、従来の施設への入場者の制限方法は、施設の本当の混雑状況によらず、いつでも同一の基準により入場者の制限をしているに過ぎない。つまり、人が施設内の一箇所に集中している場合等、施設への入場者が少ないが施設内が混み合ってしまう場合には入場者の制限は行われない。すなわち、混雑しているにもかかわらず、入場者の制限がされない場合もある。
つまり、従来の方法は、利用者の属性、施設の状態等により適切な処理を行っているわけではない。そのため、十分に利用者の利便性を高めているとは言えない。
そこで、本発明に係るチケッティングシステムは、利用者の属性、施設の状態等により適切な発券・入退場処理を行うことで、利用者の利便性をさらに高めることを目的とする。
【課題を解決するための手段】
【０００６】
本発明に係るチケッティングシステムは、例えば、施設の利用に関する施設利用情報と、施設に関連する施設関連情報を提供するウェブサイトへアクセスするためのウェブサイトアクセス情報とを印刷機でプリントして施設を利用するチケットを発券するチケット発券端末と、
チケット発券端末が発券したチケットにプリントされた施設利用情報をリーダで読み込んでチケットの有効性をチェックして施設利用許可を与えるとともに、施設利用許可に基づく施設利用情報を処理装置により管理する管理サーバと、
チケット発券端末が発券したチケットにプリントされたウェブサイトアクセス情報に基づいてネットワークを介してウェブサイトへアクセスしてくるユーザ端末に対して、ネットワークを介して施設関連情報を提供するウェブサーバと
を備え、
上記チケット発券端末は、チケット発券する際に得られる発券時情報に依存したウェブサイトアクセス情報を生成してプリントし、
上記ウェブサーバは、発券時情報に依存した施設関連情報を提供することを特徴とする。
【０００７】
上記チケット発券端末は、施設利用情報の少なくとも一部をパラメータとして含むウェブサイトアクセス情報を生成してチケットにプリントし、
上記ウェブサーバは、ウェブサイトアクセス情報に含まれた施設利用情報に依存した施設関連情報を提供することを特徴とする。
【０００８】
上記チケット発券端末は、施設識別情報を施設利用情報の一部としてチケットにプリントするとともに、施設識別情報をパラメータとするウェブサイトアクセス情報をチケットにプリントし、
上記ウェブサーバは、施設識別情報に基づき判明する施設の場所の周辺情報を施設関連情報として提供することを特徴とする。
【０００９】
上記チケット発券端末は、施設利用日時を施設利用情報の一部としてチケットにプリントするとともに、施設利用日時をパラメータとするウェブサイトアクセス情報をチケットにプリントし、
上記ウェブサーバは、施設利用日時と所定の関係にある日時の時事情報を施設関連情報として提供することを特徴とする。
【００１０】
上記チケット発券端末は、施設利用者属性を施設利用情報の一部としてチケットにプリントするとともに、施設利用者属性をパラメータとするウェブサイトアクセス情報をチケットにプリントし、
上記ウェブサーバは、施設利用者属性にマッチする商品紹介情報を施設関連情報として提供することを特徴とする。
【００１１】
上記チケット発券端末は、施設利用情報としてチケットにプリントしない発券時情報に依存したウェブサイトアクセス情報をチケットにプリントすることを特徴とする。
【００１２】
上記チケット発券端末は、ウェブサイトアクセス情報を二次元コードでプリントすることを特徴とする。
【００１３】
上記チケット発券端末は、上記発券時情報としてチケット発券場所を用い、
上記ウェブサーバは、上記施設関連情報として施設の周辺情報を提供することを特徴とする。
【００１４】
上記チケット発券端末は、上記発券時情報としてチケット利用日時を用い、
上記ウェブサーバは、上記施設関連情報として利用日時の時事情報を提供することを特徴とする。
【００１５】
上記チケット発券端末は、上記発券時情報としてチケット利用者属性を用い、
上記ウェブサーバは、上記施設関連情報として利用者への商品情報を提供することを特徴とする。
【００１６】
本発明に係るチケッティングプログラムは、例えば、施設の利用に関する施設利用情報と、施設に関連する施設関連情報を提供するウェブサイトへアクセスするためのウェブサイトアクセス情報とを印刷機でプリントして施設を利用するチケットを発券するチケット発券処理と、
チケット発券処理で発券したチケットにプリントされた施設利用情報をリーダで読み込んでチケットの有効性をチェックして施設利用許可を与えるとともに、施設利用許可に基づく施設利用情報を処理装置により管理する管理処理と、
チケット発券処理で発券したチケットにプリントされたウェブサイトアクセス情報に基づいてネットワークを介してウェブサイトへアクセスしてくるユーザ端末に対して、ネットワークを介して施設関連情報を提供する情報提供処理と
をコンピュータに実行させ、
上記チケット発券処理では、チケット発券する際に得られる発券時情報に依存したウェブサイトアクセス情報を生成してプリントし、
上記情報提供処理では、発券時情報に依存した施設関連情報を提供することを特徴とする。
【００１７】
上記チケット発券処理では、施設利用情報の少なくとも一部をパラメータとして含むウェブサイトアクセス情報を生成してチケットにプリントし、
上記情報提供処理では、ウェブサイトアクセス情報に含まれた施設利用情報に依存した施設関連情報を提供することを特徴とする。
【００１８】
上記チケット発券処理では、施設識別情報を施設利用情報の一部としてチケットにプリントするとともに、施設識別情報をパラメータとするウェブサイトアクセス情報をチケットにプリントし、
上記情報提供処理では、施設識別情報に基づき判明する施設の場所の周辺情報を施設関連情報として提供することを特徴とする。
【００１９】
上記チケット発券処理では、施設利用日時を施設利用情報の一部としてチケットにプリントするとともに、施設利用日時をパラメータとするウェブサイトアクセス情報をチケットにプリントし、
上記情報提供処理では、施設利用日時と所定の関係にある日時の時事情報を施設関連情報として提供することを特徴とする。
【００２０】
上記チケット発券処理では、施設利用者属性を施設利用情報の一部としてチケットにプリントするとともに、施設利用者属性をパラメータとするウェブサイトアクセス情報をチケットにプリントし、
上記情報提供処理では、施設利用者属性にマッチする商品紹介情報を施設関連情報として提供することを特徴とする。
【００２１】
上記チケット発券処理では、施設利用情報としてチケットにプリントしない発券時情報に依存したウェブサイトアクセス情報をチケットにプリントすることを特徴とする。
【００２２】
上記チケット発券処理では、ウェブサイトアクセス情報を二次元コードでプリントすることを特徴とする。
【００２３】
上記チケット発券処理では、上記発券時情報としてチケット発券場所を用い、
上記情報提供処理では、上記施設関連情報として施設の周辺情報を提供することを特徴とする。
【００２４】
上記チケット発券処理では、上記発券時情報としてチケット利用日時を用い、
上記情報提供処理では、上記施設関連情報として利用日時の時事情報を提供することを特徴とする。
【００２５】
上記チケット発券処理では、上記発券時情報としてチケット利用者属性を用い、
上記情報提供処理では、上記施設関連情報として利用者への商品情報を提供することを特徴とする。
【００２６】
本発明に係るチケッティング方法は、例えば、チケット発券端末が、施設の利用に関する施設利用情報と、施設に関連する施設関連情報を提供するウェブサイトへアクセスするためのウェブサイトアクセス情報とを印刷機でプリントして施設を利用するチケットを発券するチケット発券ステップと、
管理サーバが、チケット発券ステップで発券したチケットにプリントされた施設利用情報をリーダで読み込んでチケットの有効性をチェックして施設利用許可を与えるとともに、施設利用許可に基づく施設利用情報を処理装置により管理する管理ステップと、
ウェブサーバが、チケット発券ステップで発券したチケットにプリントされたウェブサイトアクセス情報に基づいてネットワークを介してウェブサイトへアクセスしてくるユーザ端末に対して、ネットワークを介して施設関連情報を提供する情報提供ステップと
を備え、
上記チケット発券ステップでは、チケット発券する際に得られる発券時情報に依存したウェブサイトアクセス情報を生成してプリントし、
上記情報提供ステップでは、発券時情報に依存した施設関連情報を提供することを特徴とする。
【発明の効果】
【００２７】
本発明に係るチケッティングシステムによれば、そのときの状態により適切な処理を行うことで、より利用者の利便性を高めることができる。
【発明を実施するための最良の形態】
【００２８】
実施の形態１．
この実施の形態では、チケットを発券する際に得られる発券時情報に依存したウェブサイトへのアクセス情報をチケットにプリントするチケッティングシステムについて説明する。
【００２９】
まず、この実施の形態に係るチケッティングシステムの全体構成について説明する。図１は、この実施の形態に係るチケッティングシステムの全体図である。
この実施の形態に係るチケッティングシステムは、チケットカウンター１０、改札２０、管理サーバルーム３０、管理デスク４０、ウェブサーバルーム５０等に設置される複数の装置を備える。
【００３０】
チケットカウンター１０は、施設を利用するためのチケットを発券する場所である。チケットカウンター１０には、チケット発券端末１１、印刷機１２が備えられる。チケットカウンター１０は様々な場所に複数あっても構わない。
チケット発券端末１１は、来場者や予約者等の利用者へチケットの発券処理を行う。チケット発券端末１１は、チケットに少なくとも（１）施設の利用に関する施設利用情報と、（２）施設に関連する施設関連情報を提供するウェブサイトへアクセスするためのウェブサイトアクセス情報とを印刷機１２でプリントする。
なお、施設とは、博物館、美術館、劇場、遊園地等の娯楽施設、鉄道、バス、飛行機等の交通機関関連施設、レストラン、商店等のお店等のあらゆる施設を含むものである。また、チケットとは、入場チケット、予約チケット、整理券等あらゆるチケットを含むものである。
【００３１】
改札２０は、施設への入場ゲートである。つまり、チケットを購入した利用者は、施設を利用する場合に改札２０を通る。改札２０には、改札端末２１が備えられる。また、改札端末２１は、リーダ２２（無線バーコードリーダー）を備える。
改札端末２１は、利用者が改札２０を通過しようとする場合、チケット発券端末１１で発券されたチケットにプリントされた施設利用情報をリーダ２２により読み込む。改札端末２１は、リーダ２２で読み込んだ施設利用情報を後述する管理サーバ３１へ通信装置を介して送信する。改札端末２１は、管理サーバ３１から送信される回答に基づき、利用者の入場の可否を決定する。
【００３２】
管理サーバルーム３０は、チケットの発券情報や利用者の入退場情報等を管理するサーバ等が備えられるサーバルームである。管理サーバルーム３０には、管理サーバ３１、Ｈ／Ｗ（ハードウェア）監視サーバ３２が備えられる。
管理サーバ３１は、リーダ２２から通信装置を介して受信した施設利用情報に基づき、チケットの有効性を処理装置によりチェックする。管理サーバ３１は、チェック結果により施設利用許可を与えるか否かを判定する。管理サーバ３１は判定結果（回答）を改札端末２１へ通信装置を介して送信する。
また、管理サーバ３１は、チケット発券端末１１からチケットの発券情報を通信装置を介して取得する。
つまり、管理サーバ３１は、取得したチケットの発券情報と施設利用情報とを処理装置により管理する管理処理を行う。
Ｈ／Ｗ監視サーバ３２は、管理サーバ３１の処理負荷等の状態を監視する。Ｈ／Ｗ監視サーバ３２は、処理負荷等が所定以上となった場合には、後述する管理端末４１へ警報メールを通信装置を介して送信する。
【００３３】
管理デスク４０は、チケッティングシステムを制御する管理者が使用する端末が備えられる場所である。管理デスク４０には、管理端末４１が備えられる。管理デスク４０は、複数あっても構わない。
管理端末４１は、管理サーバ３１が管理するチケットの発券情報と施設利用情報とを利用してチケッティングシステムを制御する。
【００３４】
ウェブサーバルーム５０は、施設に関連する情報を提供するサーバ等が備えられるサーバルームである。ウェブサーバルーム５０には、ウェブサーバ５１が備えられる。
ウェブサーバ５１は、ウェブサイトへアクセスしてきた端末へ施設に関連する情報を提供する。つまり、利用者は、ユーザ端末（携帯電話等）を用いて、チケット発券端末１１が発券したチケットにプリントされたウェブサイトアクセス情報に基づき、ネットワークを介してウェブサイトへアクセスする。そして、ウェブサーバ５１は、そのユーザ端末へネットワークを介して施設関連情報を提供する。
すなわち、ウェブサーバ５１は、施設関連情報を提供する情報提供処理を行う。
【００３５】
ここで、この実施の形態に係るチケッティングシステムでは、チケット発券端末１１が発券するチケットと、ウェブサーバ５１が提供する施設関連情報とに特徴がある。そこで、次に、チケットにプリントされる情報と、ウェブサーバ５１が提供する情報とについて説明する。
上述したように、チケット発券端末１１は、チケットに少なくとも（１）施設利用情報と、（２）ウェブサイトアクセス情報とをプリントする。
チケット発券端末１１は、特に（２）ウェブサイトアクセス情報として、チケット発券する際に得られる発券時情報に依存したウェブサイトアクセス情報を生成してプリントする。
発券時情報に依存したウェブサイトアクセス情報とは、発券時情報毎に異なる情報を提供するウェブサイトへアクセスさせる情報である。
発券時情報とは、例えば、利用者の年齢層等である。つまり、チケットカウンター１０の受付担当者が利用者からチケット購入依頼を受け付けた際、受付担当者はチケット発券端末１１へ利用者の年齢層を入力する。チケット発券端末１１は、利用者の年齢層に依存したウェブサイトアクセス情報を生成してプリントする。ウェブサーバ５１は、利用者がチケットにプリントされたウェブサイトアクセス情報に基づきウェブサイトへアクセスすると、チケットにプリントされた年齢層毎に異なる情報を提供する。
つまり、ウェブサーバ５１は、発券時情報に依存した施設関連情報を提供する。
【００３６】
図２は、チケットにプリントされる内容と、ウェブサーバ５１が提供する情報との一例を示す図である。
図２（ａ）は、購入したチケットを示す。
ここでのチケットは、○○観光地□□植物園の入園券である。チケットには、（１）施設利用情報と、（２）ウェブサイトアクセス情報とがプリントされている。（１）施設利用情報としては、施設名「○○観光地□□植物園」、利用日「２００Ｘ年○月△日」と利用者の種別「大人」とがプリントされている。（２）ウェブサイトアクセス情報としては、ＱＲコード（登録商標）がプリントされている。ＱＲコード（登録商標）は、発券時情報に依存したウェブサイトアクセス情報である。ここでは、発券時情報は利用者の年齢層であるとする。つまり、ＱＲコード（登録商標）は、利用者の年齢層毎に異なるウェブサイトへのアクセス情報を記憶する。なお、ウェブサイトアクセス情報は他の二次元コードであっても、バーコードやＩＣタグや文字等、携帯電話やＰＣ（パーソナルコンピュータ）で読み取り可能なその他の記録形式であっても構わない。
【００３７】
図２（ｂ）は、利用者が、チケットにプリントされたウェブサイトアクセス情報に基づき、ウェブサイトへアクセスする状態を示す。
携帯電話等のユーザ端末は、付属のカメラ等でＱＲコード（登録商標）の情報を読み取る。そして、ユーザ端末は、読み取った情報に基づきウェブサイトへアクセスする。この際、ユーザ端末は、利用者の年齢層毎に異なるウェブサイトへアクセスすることになる。
言い換えると、ウェブサーバ５１は、年齢層毎に異なる情報を提供するウェブサイトを記憶する。例えば、□□植物園に関連した商品の情報を提供する場合、ウェブサーバ５１は利用者の年齢層毎に、その年齢層に適した商品の情報を提供するウェブサイトを記憶する。
【００３８】
次に、ウェブサイトアクセス情報の構成について説明する。
図３と図４とは、ウェブサイトアクセス情報の構成を示す図である。ここでは、ウェブサイトアクセス情報の一例としてＱＲコード（登録商標）を示すが、上述したように、ウェブサイトアクセス情報は他の二次元コードであっても、バーコードやＩＣタグや文字等、携帯電話やＰＣ（パーソナルコンピュータ）で読み取り可能なその他の記録形式であっても構わない。
二次元コードには、（Ａ）ＵＲＬゾーン、（Ｂ）ＩＤ（ＩＤｅｎｔｉｆｉｅｒ）ゾーン、（Ｃ）拡張ゾーンとがある。
（Ａ）ＵＲＬゾーンは、ＷｅｂサイトのＵＲＬが記憶されるエリアである。
（Ｂ）ＩＤゾーンは、チケットのＩＤ（チケット識別子又はチケットＩＤともいう）が記憶されるエリアである。チケットのＩＤとは、チケットを一意に識別するための情報である。チケットＩＤには、チケットそのものの識別子以外に、施設ＩＤや利用日付等の施設利用情報が含まれている。
（Ｃ）拡張ゾーンは、任意の情報を記憶させるエリアである。図４では、一例として年齢層を記憶させる。
（Ｂ）ＩＤゾーンと（Ｃ）拡張ゾーンとに発券時情報が記憶される。
【００３９】
図５は、二次元コードの内容の一例を示す図である。
二次元コードには、（Ａ）ＵＲＬゾーンの内容である「ｈｔｔｐ：／／ｗｗｗ．ａｂｃｄｅ．ｃｏｍ？ＩＤ＝＄ＩＤ＆ＡＧＥ＝＄ＡＧＥ」と（Ｂ）ＩＤゾーンの内容である「ＩＤ＝５８ｃ２ｃ」と（Ｃ）拡張ゾーンの内容である「ＡＧＥ＝３０」とが改行コードを挟んで連結されている。ここでは、各（Ａ）（Ｂ）（Ｃ）のエリアの区切りを示す情報として改行コードを用いているが、エリアの区切りを認識できるコードであれば他のコードであっても構わない。また、各（Ａ）（Ｂ）（Ｃ）のエリアに記憶される情報は１つではなく、複数であっても構わない。つまり、（Ａ）ＵＲＬゾーンには複数のＵＲＬが記憶されているとしても構わない。
ここで、（Ａ）ＵＲＬゾーンの「＄ＩＤ」と「＄ＡＧＥ」とは変数を示す。つまり、（Ａ）ＵＲＬゾーンの情報を用いて、ウェブサイトへアクセスする場合、（Ａ）ＵＲＬゾーンの「＄ＩＤ」は、（Ｂ）ＩＤゾーンの「５８ｃ２ｃ」と置き換えられる。また、（Ａ）ＵＲＬゾーン「＄ＡＧＥ」は、（Ｃ）拡張ゾーンの「３０」と置き換えられる。つまり、（Ａ）ＵＲＬゾーンの情報を用いて、ウェブサイトへアクセスする場合のＵＲＬは、「ｈｔｔｐ：／／ｗｗｗ．ａｂｃｄｅ．ｃｏｍ？ＩＤ＝５８ｃ２ｃ＆ＡＧＥ＝３０」となる。すなわち、ユーザ端末は、チケットのＩＤと年齢層と毎に異なるウェブサイトへアクセスすることになる。
ここでは、（Ａ）ＵＲＬゾーンにチケットのＩＤと年齢層とを変数として持たせたが、例えば、（Ａ）ＵＲＬゾーンに「＄ＡＧＥ」だけを変数として持たせれば、年齢層のみに依存したウェブサイトへアクセスさせることになる。
つまり、（Ｂ）ＩＤゾーンと（Ｃ）拡張ゾーンとに記憶される情報は、（Ａ）ＵＲＬゾーンに記憶されるウェブサイトアクセス情報のパラメータである。すなわち、（Ａ）ＵＲＬゾーンの「ｈｔｔｐ：／／ｗｗｗ．ａｂｃｄｅ．ｃｏｍ？ＩＤ＝＄ＩＤ＆ＡＧＥ＝＄ＡＧＥ」の「？ＩＤ＝＄ＩＤ＆ＡＧＥ＝＄ＡＧＥ」はパラメータである。「？」はパラメータとの区切り文字である。
ウェブサイトアクセス情報のパラメータは変数を用いて（Ｂ）ＩＤゾーンと（Ｃ）拡張ゾーンを参照しなくても構わない。つまり、（Ａ）ＵＲＬゾーンに「ｈｔｔｐ：／／ｗｗｗ．ａｂｃｄｅ．ｃｏｍ？ＩＤ＝５８ｃ２ｃ＆ＡＧＥ＝３０」と直接書いても構わない。
アクセス先のウェブサイトを変更するのにパラメータで変えるのではなく、ＵＲＬそのものを変更するとしても構わない。つまり、例えば、年齢層毎にＵＲＬを持っておき、チケットには対応するＵＲＬを印刷することで、年齢層毎にアクセス先のウェブサイトを変更しても構わない。
【００４０】
次に、発券時情報とウェブサーバ５１が提供する情報との具体例について説明する。
上記説明では、発券時情報の一例として利用者の年齢層を用いた。発券時情報は、これに限られるものではない。発券時情報とは、発券時に知り得る情報である。例えば、発券時情報を施設利用情報の一部の情報とすることができる。施設利用情報は、上述したようにウェブサイトアクセス情報とともにチケットにプリントされるものであって、チケットの有効性を判断するために使用されるものである。
施設利用情報は、例えば、利用者属性、施設ＩＤ、利用日時、チケットの発券場所等である。発券時情報は、チケットの紙面上に文字として読めるように印刷されていてもよく、印刷されていなくてもよい。しかし、発券時情報は、ＱＲコード（登録商標）やバーコードのようにコード化されプリントされているものである。
【００４１】
１つ目の例として、発券時情報に利用者属性（チケット利用者の属性）を含めた場合について説明する。
利用者属性とは、大人・子供、女・男、一人用・二人用、学生、禁煙・喫煙、指定席・自由席、団体・個人、家族・カップル・男どうし・女どうし、年齢層、人種、服装、身なり、体型等を示す情報である。これらの情報はチケットの発券時に利用者に尋ねる、あるいは、受付担当者が利用者を見て判断することで得られる。なお、「・」は「又は」との意味である。
発券時情報に施設利用情報を含めた場合、ウェブサーバ５１は、施設利用情報が示す特性毎にお勧めの商品を案内することや、マーケティングを行う。具体的には、ウェブサーバ５１は、上述したように年齢層毎にお勧めの商品を案内することや、利用者の構成がカップル・男どうし・女どうし毎にお勧めのレストランを案内する。
すなわち、発券時情報に利用者属性を含めた場合、施設のｅ−コマースリコメンデーションを安価に、かつ対象施設を訪れた人に限って効果的に行うことができる。
【００４２】
２つ目の例として、発券時情報に施設識別情報（施設ＩＤ）を含めた場合について説明する。
施設識別情報から施設が特定され、さらにその施設の場所が判明する。
そこで、発券時情報に施設識別情報を含めた場合、ウェブサーバ５１は、例えば、その施設の周辺にある他の施設等の観光情報を案内する。
つまり、発券時情報に施設識別情報を含めた場合、提携周辺施設のＰＲを安価に、かつ対象施設を訪れた人に限って効果的に行うことができる。
【００４３】
３つ目の例として、発券時情報に施設利用日時（チケットの利用日時）を含めた場合について説明する。
発券時情報に施設利用日時を含めた場合、ウェブサーバ５１は、施設利用日時に関連した情報を案内することができる。例えば、ウェブサーバ５１は、施設利用日時あるいは施設利用日時と関係のある日時（例えば、利用日時の１週間前・後、１月前・後、１年前・後等）のニュース、催し物、割引情報、セール情報、天気等を提供する。つまり、ウェブサーバ５１は、施設利用日時に関連した時事情報を提供することができる。
すなわち、発券時情報に施設利用日時を含めた場合、施設のｅ−コマースリコメンデーションを安価に、かつ対象施設を訪れた人に限って効果的に行うことができる。さらに、施設を利用した思い出を呼び起こすことができ、施設の再訪問者を増加させることができる。
【００４４】
４つ目の例として、発券時情報にチケットの発券場所を含めた場合について説明する。
チケットの発券場所とは、利用者がチケットを購入したチケットカウンター１０の場所である。つまり、チケットの発券場所とは、西口、東口や、入退場チケットセンター、駅のチケットセンター、郊外の駐車場の備えられたチケットセンターや、発券したチケットセンターの場所（駅名、建物名、建物の階数等）や、インターネット上の店舗等である。
チケットの購入者は、チケットの発券場所へ再び訪れることが考えられる。あるいは、退場時や帰宅時に通過することが考えられる。
そこで、発券時情報にチケットの発券場所を含めた場合、ウェブサーバ５１は、チケットの発券場所の周辺の施設の情報を提供する。
つまり、発券時情報にチケットの発券場所を含めた場合、チケットの発券場所周辺のｅ−コマースリコメンデーションを安価に、かつその場所を訪れた人に限って効果的に行うことができる。
【００４５】
なお、上記１つ目の例から４つ目の例までに示した情報の２つ以上を複合して発券時情報としても構わない。
また、チケットにプリントされない施設利用情報を発券時情報としても構わない。
【００４６】
この実施の形態に係るチケッティングシステムによれば、利用者属性、施設ＩＤ、利用日時、チケットの発券場所等の発券時情報に基づき、利用者に適切な情報を提供することができる。そのため、利用者の利便性を向上させることができる。
【００４７】
上記説明では、チケット発券端末１１は、（１）施設利用情報と、（２）ウェブサイトアクセス情報とをチケットにプリントし、改札端末２１は、チケットにプリントされた（１）施設利用情報を読み込むとした。しかし、次のようにしても構わない。
チケット発券端末１１は、図３を用いて説明したようにチケットにＩＤを付し、チケットのＩＤを二次元コードに含めてプリントする。また、チケット発券端末１１は、チケットのＩＤと施設利用情報とを関連付けて管理サーバ３１へ送信する。
管理サーバ３１は、チケット発券端末１１から受信したチケットのＩＤと施設利用情報とを記憶装置に記憶する。
改札端末２１は、リーダ２２によりチケットにプリントされた二次元コードからチケットのＩＤを読み込む。改札端末２１は、読み込んだチケットのＩＤを管理サーバ３１へ送信する。
管理サーバ３１は、改札端末２１から受信したチケットのＩＤから記憶装置に記憶した施設利用情報を取得し、チケットの有効性をチェックし、施設利用許可を与えるか否かを判定する。管理サーバ３１は、判定結果（回答）を改札２０へ送信する。
改札端末２１は、管理サーバ３１から受信した回答に基づき、利用者の入場の可否を決定する。
つまり、二次元コードをチケットの有効性の判断と、ウェブサーバアクセス情報との共用としても構わない。
【００４８】
また、チケットのＩＤをハッシュして管理することで、チケットのＩＤの類推を防止しても構わない。さらに、管理サーバ３１では、全てのチケットを管理することで、同一ＩＤのチケットによる二重入場や再入場を防止しても構わない。
【００４９】
また、管理サーバ３１では、チケットのＩＤと施設利用情報とだけでなく、発券時情報として使用する利用者属性等の情報を記憶装置に記憶するとしても構わない。但し、この場合、利用者の個人情報や顔写真等は情報漏洩に備えて記憶しないものとしても構わない。
さらに、管理サーバ３１は、入退場の時刻や、入退場の状態をチケットのＩＤ毎に管理しても構わない。
そして、管理端末４１は、管理サーバ３１が記憶、管理する情報を日毎、月毎、年毎に集計して帳票出力することや、入退場履歴の確認、入場者数の確認等を行うとしても構わない。
【００５０】
実施の形態２．
この実施の形態では、施設内の混雑状況を判定して、チケットの発券又は施設への入場制限を行うチケッティングシステムについて説明する。
【００５１】
図６は、この実施の形態に係るチケッティングシステムの全体図である。
この実施の形態に係るチケッティングシステムについて、実施の形態１に係るチケッティングシステムと異なる部分のみ説明する。
【００５２】
施設６０内には、カメラ６１が備えられる。
カメラ６１は、施設６０内に複数備えられるとしても構わない。
カメラ６１は、常時、施設６０内の状況を撮影して画像情報を取得する。カメラ６１は、取得した画像情報を後述する制御装置３３へ通信装置を介して送信する。
【００５３】
管理サーバルーム３０には、制御装置３３、カメラ画像記憶部３４が備えられる。
制御装置３３は、混雑度合に基づいて、チケット発券端末１１によるチケットの発券を制御する。
図７は、制御装置３３の機能を示す機能ブロック図である。
制御装置３３は、画像分析部３５、混雑判定部３６、発券制御部３７を備える。
画像分析部３５は、カメラ６１が撮影した画像情報を記憶装置（カメラ画像記憶部３４）に記憶して、処理装置により画像情報から施設内に存在する入場者の状態を分析する。画像分析部３５は、例えば、画像情報から人影を切り出しする。
混雑判定部３６は、画像分析部３５が抽出した施設内に存在する入場者の状態に基づいて、処理装置により施設の混雑度合を判定する。混雑判定部３６は、例えば、画像分析部３５が切り出しした人影の情報に基づき、後述する方法により混雑度合を判定する。
発券制御部３７は、混雑判定部３６が判定した混雑度合に基づいて、チケット発券端末１１によるチケットの発券を処理装置により制御する。
【００５４】
次に、混雑判定部３６の混雑度合の判定方法について説明する。
図８は、混雑度合の概念図である。図８において丸印は１人の人であるとする。混雑判定部３６は、図８に示す混雑度合の概念に従って混雑度合を判定する。
【００５５】
図８（ａ−１）と（ａ−２）とは、密集度を示す概念図である。
密集度とは、単位面積当たりの人数である。つまり、密集度とは密度である。密集度が高いほど、混雑度合が高い。単位面積当たりの人数は、１枚の画像の撮影床面積と、そこに撮影された人数とから計算できる。
図８（ａ−１）は、単位面積当たり１２人の人がいる。一方、図８（ａ−２）は、単位面積当たり４０人の人がいる。つまり、図８（ａ−１）は、図８（ａ−２）に比べ密集度が低い。
【００５６】
図８（ｂ−１）と（ｂ−２）とは、乱雑度を示す概念図である。
乱雑度とは、人の進む方向の乱れている度合いである。つまり、つまり、乱雑度とは分散である。すなわち、全ての人が一定の方向に進んでいる場合には、乱雑度は低い。一方、各人が異なる方向に進んでいる場合には、乱雑度が高い。乱雑度が高いほど、混雑度合が高い。人の進む方向は、例えば、人の額を検出し、額の方向とすることができる。または、人の進む方向は、例えば、一定時間経過後の画像から同一人の位置を検出して、移動した方向を検出できる。
図８（ｂ−１）では、各人が概ね２つの方向にのみ進んでいる。一方、図８（ｂ−２）では、各人が異なる方向に進んでいる。つまり、図８（ｂ−１）は、図８（ｂ−２）に比べ乱雑度が低い。
【００５７】
図８（ｃ−１）と（ｃ−２）とは、停滞度を示す概念図である。
停滞度とは、単位時間における人の移動量の少なさである。つまり、停滞度とは、流速または絞りである。すなわち、人の移動量が多い場合、言い換えると、人がスムーズに流れている場合、停滞度は低い。一方、人の移動量が少ない場合、言い換えると、人がスムーズに流れていない場合、停滞度は高い。停滞度が高いほど、混雑度合が高い。単位時間における人の移動量は、例えば、一定時間経過後の画像から同一人の位置を検出して、移動した距離を求めて計算することができる。
図８（ｃ−１）では、一定時間経過後の人の位置は大きく変化している。一方、図８（ｃ−２）では、一定時間経過後の人の位置はあまり変わっていない。つまり、図８（ｃ−１）は、図８（ｃ−２）に比べ停滞度が低い。
【００５８】
混雑判定部３６が図８に示す混雑度合の概念に従って混雑度合を判定する方法の一例を説明する。
図９は、混雑判定部３６が混雑度合を判定するために使用する発券コントロールテーブルを示す図である。発券コントロールテーブルは、カメラ画像記憶部３４に記憶される。
混雑判定部３６は、図８に示す混雑度合の概念に従って、密集度、乱雑度、停滞度のそれぞれを例えば１から５までのレベルに分ける。ここでは、レベルが低い（数値が小さい）ほど、密集度、乱雑度、停滞度が低く、レベルが高い（数値が大きい）ほど、密集度、乱雑度、停滞度が高いとする。
次に、混雑判定部３６は、図９に示す発券コントロールテーブルに従い、混雑度合を判定する。混雑判定部３６は、例えば、密集度、乱雑度、停滞度をＡＮＤ条件として判断する。つまり、密集度、乱雑度、停滞度の全てが条件を満たす混雑度合を検索し、その内、最も低い混雑度を採用する方法である。すなわち、この方法は、密集度、乱雑度、停滞度の内、最も悪いものの影響を受ける方法である。具体的には、密集度が２、乱雑度が４、停滞度が２であれば、混雑度合「中」と「大」との条件を満たすので、よい方の条件を採用して混雑度合は「中」となる。つまり、乱雑度が混雑度合「小」の条件を満たしていないため、混雑度合は「中」となる。
これに限られず、混雑判定部３６は、密集度、乱雑度、停滞度の内、最もよいものの影響を受けるように、密集度、乱雑度、停滞度をＯＲ条件として判断するとしてもよい。つまり、密集度、乱雑度、停滞度のいずれか１つが条件を満たす混雑度合を検索し、その内、最も低い混雑度を採用する方法である。具体的には、密集度が４、乱雑度が４、停滞度が２であれば、停滞度は、「小」と「中」と「大」との条件を満たすので、最もよい条件を採用して混雑度合は「小」となる。つまり、停滞度が混雑度合「小」の条件を満たしているため、混雑度合は「小」となる。
他にも、密集度、乱雑度、停滞度の内、いずれか１つのみに基づき混雑度合を判定するとしても、いずれか２つのみに基づき混雑度合を判定するとしても構わない。また、密集度、乱雑度、停滞度とに重み付けをして混雑度合を判定するとしても構わない。特に、密集度に大きな重みを持たせるとしてもよい。
【００５９】
発券制御部３７は、例えば、混雑判定部３６が混雑度合「小」と判定した場合には、チケットの発券を行うよう制御する。
発券制御部３７は、例えば、混雑判定部３６が混雑度合「中」と判定した場合には、チケットの発券を一時停止あるいは発券速度を落とすよう制御する。
発券制御部３７は、例えば、混雑判定部３６が混雑度合「大」と判定した場合には、チケットの発券を中止するよう制御する。
【００６０】
次に、制御装置３３の動作について説明する。
図１０は、制御装置３３の動作を示すフローチャートである。
まず、前提として、カメラ６１は、常時、施設６０内の状況を撮影して画像情報を取得し、制御装置３３へ画像情報を送信しているとする（撮影処理）。
画像分析処理（Ｓ１）では、画像分析部３５は、カメラ６１が送信した画像情報を受信し、画像情報から人影を切り出しする。
混雑度（密集度）判定処理（Ｓ２）では、混雑判定部３６は、画像情報から切り出した人影に基づき、密集度を判定する。混雑判定部３６は、例えば、カメラ６１の撮影範囲内にいる人数をカウントすることで密集度を判定する。
混雑度（乱雑度）判定処理（Ｓ３）では、混雑判定部３６は、乱雑度を判定する。混雑判定部３６は、例えば、所定の時間前の画像情報と現在の画像情報とをマッチングして、各人の移動方向を算出することで乱雑度を判定する。
混雑度（停滞度）判定処理（Ｓ４）では、混雑判定部３６は、停滞度を判定する。混雑判定部３６は、例えば、所定の時間前の画像情報と現在の画像情報との差分を算出することで停滞度を判定する。
発券制御（混雑度判定）処理（Ｓ５）では、混雑判定部３６は、（Ｓ２）から（Ｓ４）までで判定した密集度、乱雑度、停滞度に基づき、混雑度合を判定し、発券処理を制御するか否かを判定する。
発券制御処理（Ｓ６）では、発券制御部３７は、管理サーバ３１を介して、チケット発券端末１１へ発券停止あるいは発券速度を落とす指示を通信装置を介して送信する。また、管理サーバ３１は、管理端末４１へ転送する。
チケット発券端末１１は、制御装置３３の制御に従い、発券処理を行う。また、制御装置３３は、改札端末２１を改札させないように制御しても構わない。
【００６１】
この実施の形態に係るチケッティングシステムによれば、施設内の本当の混雑度合により、施設への入場制限を行うことができる。そのため、利用者の利便性を向上させることができる。
【００６２】
次に、上記実施の形態におけるチケット発券端末１１、改札端末２１、管理サーバ３１、Ｈ／Ｗ監視サーバ３２、制御装置３３、管理端末４１、ウェブサーバ５１のハードウェア構成について説明する。
図１１は、チケット発券端末１１、改札端末２１、管理サーバ３１、Ｈ／Ｗ監視サーバ３２、制御装置３３、管理端末４１、ウェブサーバ５１のハードウェア構成の一例を示す図である。
図１１に示すように、チケット発券端末１１、改札端末２１、管理サーバ３１、Ｈ／Ｗ監視サーバ３２、制御装置３３、管理端末４１、ウェブサーバ５１は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、キーボード９０２、マウス９０３、通信ボード９１５、磁気ディスク装置９２０と接続され、これらのハードウェアデバイスを制御する。磁気ディスク装置９２０の代わりに、光ディスク装置、メモリカード読み書き装置などの記憶装置でもよい。
【００６３】
ＲＯＭ９１３、磁気ディスク装置９２０は、不揮発性メモリの一例である。ＲＡＭ９１４は、揮発性メモリの一例である。ＲＯＭ９１３とＲＡＭ９１４とは、記憶装置の一例である。通信ボード９１５とキーボード９０２とは、入力装置の一例である。また、通信ボード９１５は、出力装置の一例である。さらに、通信ボード９１５は、通信装置の一例である。
【００６４】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００６５】
上記プログラム群９２３には、上記の説明において「〜部」等として説明した機能を実行するプログラムやその他のプログラムが記憶されている。プログラムは、ＣＰＵ９１１により読み出され実行される。
ファイル群９２４には、上記の説明において、「発券時情報」、「画像情報」等として説明した情報やデータや信号値や変数値やパラメータが、「ファイル」や「データベース」の各項目として記憶される。「ファイル」や「データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
また、上記の説明におけるフローチャートの矢印の部分は主としてデータや信号の入出力を示し、データや信号値は、ＲＡＭ９１４のメモリ、その他光ディスク等の記録媒体に記録される。また、データや信号は、バス９１２や信号線やケーブルその他の伝送媒体によりオンライン伝送される。
【００６６】
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。さらに、「〜処理」として説明するものは「〜ステップ」であっても構わない。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【図面の簡単な説明】
【００６７】
【図１】実施の形態１に係るチケッティングシステムの全体図。
【図２】チケットにプリントされる内容と、その利用方法の一例を示す図。
【図３】ウェブサイトアクセス情報の一例である二次元コードの構成を示す図。
【図４】ウェブサイトアクセス情報の一例である二次元コードの構成を説明する図。
【図５】二次元コードの内容の一例を示す図。
【図６】実施の形態２に係るチケッティングシステムの全体図。
【図７】制御装置３３の機能を示す機能ブロック図。
【図８】混雑度合の概念図。
【図９】混雑判定部３６が混雑度合を判定するために使用する発券コントロールテーブルを示す図。
【図１０】制御装置３３の動作を示すフローチャートである。
【図１１】チケット発券端末１１、改札端末２１、管理サーバ３１、Ｈ／Ｗ監視サーバ３２、管理端末４１、ウェブサーバ５１のハードウェア構成の一例を示す図。
【符号の説明】
【００６８】
１０  チケットカウンター、１１  チケット発券端末、１２  印刷機、２０  改札、２１  改札端末、２２  リーダ、３０  管理サーバルーム、３１  管理サーバ、３２  Ｈ／Ｗ監視サーバ、３３  制御装置、３４  カメラ画像記憶部、３５  画像分析部、３６  混雑判定部、３７  発券制御部、４０  管理デスク、４１  管理端末、５０  ウェブサーバルーム、５１  ウェブサーバ、６０  施設、６１  カメラ、９０２  Ｋ／Ｂ、９０３  マウス、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2009015595.tif 000003
【図２】
2009015595.tif 000004
【図３】
2009015595.tif 000005
【図４】
2009015595.tif 000006
【図５】
2009015595.tif 000007
【図６】
2009015595.tif 000008
【図７】
2009015595.tif 000009
【図８】
2009015595.tif 000010
【図９】
2009015595.tif 000011
【図１０】
2009015595.tif 000012
【図１１】
2009015595.tif 000013